(57)【特許請求の範囲】
【請求項１】
ネットワークに接続され、患者の診療情報が保持されている診療情報保持装置と、
ネットワークに接続され、地域毎に割り当てられ、各地域内にある1又は複数の診療情報保持装置のネットワーク上のアドレスを保持する地域管理装置と、
前記地域内にある記診療情報保持装置に保持された前記診療情報にかかる患者に対応付けて、前記地域を識別するための地域識別情報を保持し、その地域識別情報の取得要求を受けて、その地域識別情報を出力する患者地域情報記録部と、
前記地域管理装置のネットワーク上のアドレスと前記地域識別情報とを対応付けて保持し、前記地域識別情報の取得要求を受けて、その地域識別情報に対応付けられた前記地域管理装置のネットワーク上のアドレスを出力する対応関係保持部と、
前記患者地域情報記録部に対して、前記患者に対応付けられた前記地域識別情報の取得を要求し、取得した地域識別情報を前記対応関係保持部に入力して、前記地域識別情報に対応付けられた前記地域管理装置のネットワーク上のアドレスを取得し、その地域管理装置にアクセスして、前記診療情報保持装置のネットワーク上のアドレスを取得し、その診療情報保持装置にアクセスして、患者の診療情報を取得する操作端末と、を有することを特徴とする診療情報管理システム。
【請求項２】
前記患者地域情報記録部は、ネットワークに接続され、
前記患者地域情報記録部のネットワーク上のアドレスを保持し、前記操作端末が前記患者地域情報記録部のネットワーク上のアドレスの取得を要求した場合に、その患者地域情報記録部のネットワーク上のアドレスを前記操作端末に出力する患者地域情報管理部を有することを特徴とする請求項１に記載の診療情報管理システム。
【請求項３】
前記操作端末は、前記患者地域情報記録部から前記地域識別情報を取得する１次操作端末と、その１次操作端末にネットワークを介して接続し、前記１次操作端末から前記地域識別情報を受信する２次操作端末と、を有することを特徴とする請求項１又は請求項２のいずれかに記載の診療情報管理システム。
【請求項４】
前記患者地域情報記録部は、国および／または国内での患者、県および／または県内での患者、地域および／または地域内での患者、並びに、病院および／または病院内での患者をそれぞれ識別するための患者地域情報を保持し、
国および／または国内での患者、県および／または県内での患者、地域および／または地域内での患者、並びに、病院および／または病院内での患者をそれぞれ識別するための各患者地域情報は、それらの順番で上位から下位となるような階層構造を成し、
前記操作端末が前記病院および／または病院内での患者の患者地域情報を登録又は更新する場合に、その登録又は更新した日を患者地域情報の登録日又は更新日とすると共に、前記登録又は更新した日を前記患者地域情報より上位にある患者地域情報の登録日又は更新日とする日付操作部を有することを特徴とする請求項１から請求項３のいずれかに記載の診療情報管理システム。
【請求項５】
前記患者地域情報記録部は、診療科を識別する診療科識別情報、ドキュメントを識別するドキュメント識別情報、その他の診療情報属性識別情報、地域および／または地域内での患者、並びに、病院および／または病院内での患者をそれぞれ識別するための患者地域情報を保持し、
前記診療情報属性識別情報、地域および／または地域内での患者、並びに、病院および／または病院内での患者をそれぞれ識別するための各患者地域情報は、それらの順番で上位から下位となるような階層構造を成し、
前記操作端末が前記病院および／または病院内での患者の患者地域情報を登録又は更新する場合に、その登録又は更新した日を患者地域情報の登録日又は更新日とすると共に、前記登録又は更新した日を前記患者地域情報より上位にある患者地域情報の登録日又は更新日とする日付操作部を有することを特徴とする請求項１から請求項３のいずれかに記載の診療情報管理システム。
【発明の詳細な説明】
【技術分野】
【０００１】
本発明は、患者の診療情報を全国どこの操作端末からでも取得することができる診療情報管理システムに関する。
【背景技術】
【０００２】
受診者の診療情報、例えば、血液型、アレルギー情報、感染情報、処方情報、検査情報等を客観的かつ短時間で取得することが、適確かつ適時に医療を提供するという観点から極めて重要である。
【０００３】
また、旅先や出張先で病気や怪我をした人が本人の意思を医師側に伝えることができない場合や、記憶障害や記憶疾患のある人が本人の受診歴を医師側に話すことができないような場合であっても、医師側では、それらの人の客観的な診療情報を短時間に取得する必要がある。
【０００４】
従来においては、患者の識別情報が保持されたデータベースを管理するためのホストコンピュータと、病院側端末とがネットワークに接続され、病院側端末からホストコンピュータにアクセスし、患者の識別情報を入力すると、ホストコンピュータで、患者の識別情報に基づきデータベースを検索し、登録されている患者の診療情報を取得し、病院側端末のモニタに表示する。病院側端末のモニタに表示された診療情報により、医師が患者の過去の病歴を把握する診療情報管理装置がある（例えば、特許文献１）。
【０００５】
また、各地域の１又は複数の診療情報保持装置は実際の診療情報を保持している。地域管理装置は、地域毎に割り当てられ、診療情報保持装置に保持されている診療情報のリスト、そのリストに載せられた診療情報の管理情報を保持する。診療情報の管理情報には、診療情報の存在場所（住所）が含まれる。医師や患者が診療情報を取得する場合、医師側の端末から地域管理装置の住所にアクセスして、地域管理装置に対し患者の氏名や生年月日を入力することにより、地域管理装置に登録された患者識別情報を取得し、その患者識別情報に基づき、患者の診療情報の存在場所（住所）を取得する。次に、医師側の端末から診療情報の存在場所（住所）にアクセスして、診療情報保持装置に保持された診療情報を取得するようなものが提案されている。この提案では、地域管理装置は、市町村ごとに配置され、市町村の地域管理装置は、県の地域管理装置に管理され、県の地域管理装置は国の地域管理装置に管理される。
【０００６】
【特許文献１】特開２００２−３２４７８号公報
【発明の開示】
【発明が解決しようとする課題】
【０００７】
しかしながら、上記特許文献等に記載された診療情報管理システムでは、以下の問題点があった。
【０００８】
前者の特許文献１の診療情報管理装置は、患者の診療情報を一元管理し、国内のどの病院からも患者の診療情報を取得できるものがあるが、国内の患者の診療情報を記録するためには、膨大な容量のデータベースを必要とする。また、医師や患者が診療情報を参照すると、データベースが共有モードになり、その共有モードが解除されるまで、他の医師や患者は診療情報を更新することができない。また、医師や患者が診療情報を更新すると、データベースが占有モードになり、その占有モードが解除されるまで、他の医師や患者が診療情報を更新又は参照することができない。一元管理される患者の診療情報に対しては、頻繁に参照又は更新されることが考えられるため、データベースが頻繁に共有モードや占有モードになる。その結果、医師や患者が診療情報の取得に長時間を要してしまうので、診療を行うにあたって実用的な時間で診療情報を取得することは事実上不可能であるという問題点がある。
【０００９】
また、後者の提案では、患者の診療情報を一元管理せず、地域毎に患者の診療情報をその地域の診療情報保持装置に保持しているため、各診療情報保持装置が膨大な容量のデータベースを必要としない。しかし、例えば、患者によっては、その患者の診療情報が全国各地の診療情報保持装置に保持されている。この場合、医師や患者は、全国各地域の地域管理装置にアクセスして、患者の氏名や生年月日から患者の診療情報の有無を確認する。患者の診療情報があれば、その地域管理装置から診療情報の存在場所（住所）を取得し、その診療情報の存在場所（住所）にアクセスして、診療情報保持装置から診療情報を取得する。全国には、１８００余りの市町村がある。市町村毎に地域管理装置があると仮定すると、医師や患者は、全国各市町村の地域管理装置にアクセスして、患者の診療情報の有無を確認する必要がある。その結果、前者と同じく、医師や患者が診療情報の取得に長時間を要してしまうので、診療を行うにあたって実用的な時間で診療情報を取得することは事実上不可能であるという問題点がある。
【００１０】
本発明は、上記の問題点を解決するものであり、患者の診療情報を保持する診療情報保持装置のネットワーク上のアドレスを短時間に取得することができ、また、各地域の診療情報保持装置が膨大な容量のデータベースを必要としない診療情報管理システムを提供することを目的とする。
【課題を解決するための手段】
【００１１】
請求項１に記載の発明は、ネットワークに接続され、患者の診療情報が保持されている診療情報保持装置と、ネットワークに接続され、地域毎に割り当てられ、各地域内にある1又は複数の診療情報保持装置のネットワーク上のアドレスを保持する地域管理装置と、前記診療情報保持装置に保持された前記診療情報にかかる患者に対応付けて、前記地域を識別するための地域識別情報を保持し、その地域識別情報の取得要求を受けて、その地域識別情報を出力する患者地域情報記録部と、前記地域管理装置のネットワーク上のアドレスと前記地域識別情報とを対応付けて保持し、前記地域識別情報の取得要求を受けて、その地域識別情報に対応付けられた前記地域管理装置のネットワーク上のアドレスを出力する対応関係保持部と、前記患者地域情報記録部に対して、前記患者に対応付けられた前記地域識別情報の取得を要求し、取得した地域識別情報を前記対応関係保持部に入力して、前記地域識別情報に対応付けられた前記地域管理装置のネットワーク上のアドレスを取得し、その地域管理装置にアクセスして、前記診療情報保持装置のネットワーク上のアドレスを取得し、その診療情報保持装置にアクセスして、患者の診療情報を取得する操作端末と、を有することを特徴とする診療情報管理システムである。
【発明の効果】
【００１２】
この発明によると、患者に対応付けられた地域識別情報を患者地域情報記録部が保持することにより、操作端末が、患者に対応付けられた地域識別情報を患者地域情報記録部から取得し、その地域識別情報に対応付けられた地域管理装置のネットワーク上のアドレスを、対応関係保持部から取得することができる。それにより、患者の診療情報を保持する診療情報保持装置のネットワーク上のアドレスを、全国の地域管理装置に問い合わせる場合に比較して短時間に取得することができる。その結果、診療を行うにあたって実用的な時間で診療情報を取得することが可能となる。また、地域の患者の診療情報をその地域の診療情報保持装置が保持するので、患者の診療情報を保持するために、診療情報保持装置が膨大な容量のデータベースを必要としない。
【発明を実施するための最良の形態】
【００１３】
［第１の実施の形態］
（構成）
本発明の第１の実施形態に係る診療情報管理システムの構成について図１を参照して説明する。図１は、診療情報管理システムの全体構成を示す説明図である。
【００１４】
図１に示すように、各地域には、患者の診療情報を保持する診療情報保持装置１０が設けられてある。また、各地には、地域管理装置２０が設けられてある。地域管理装置２０は、地域毎に割り当てられ、その地域内にある１又は複数の診療情報保持装置１０のネットワーク上の住所を少なくとも保持する。診療情報保持装置１０及び地域管理装置２０は、それぞれネットワークに接続されている。
【００１５】
診療情報保持装置１０には実際の診療情報が保持されている。図２は、診療情報保持装置１０内のフォルダ、及びフォルダ内のファイルを概念的に表した図である。診療情報保持装置１０内のフォルダには、保管情報ファイル１１、診療記録ファイル１２、外部データファイル１３が含まれている。
【００１６】
診療情報保持装置１０は、一般的に、各医療施設（例えば病院）に設けられた管理用コンピュータと、そのコンピュータに管理されるデータベースもしくはファイルとから成る。その医療施設には、診療情報保持装置１０に対し患者の医療情報を操作するための操作端末５０が設けられている。
【００１７】
地域管理装置２０は、地域内で患者を統一的に識別するための識別情報、患者の診療情報のリスト、および、そのリストに載せられた診療情報の管理情報をそれぞれ保持する。診療情報の管理情報には、診療情報保持装置１０のインターネット上の住所が含まれる。診療情報保持装置１０のインターネット上の住所は、例えば、ＩＰ（Ｉｎｔｅｒｎｅｔ  Ｐｒｏｔｏｃｏｌ）アドレス、又はＵＲＬ（Ｕｎｉｆｏｒｍ  Ｒｅｓｏｕｒｃｅ  Ｌｏｃａｔｏｒ）である。ＵＲＬは、情報の存在場所（住所）であり、診療情報保持装置１０内のフォルダやそのフォルダ内のファイルを指定するものである。
【００１８】
ネットワークには対応関係保持部４０が接続されている。対応関係保持部４０は、地域を識別するための地域識別情報と地域管理装置２０の住所とを対応させた対応表を保持している。操作端末５０が地域識別情報に対応する地域管理装置２０の住所の取得を要求した場合に、対応関係保持部４０は、その地域識別情報に対応する地域管理装置２０の住所をその操作端末５０に送信する。なお、対応関係保持部４０をネットワークに接続させずに、操作端末５０に設けても良い。
【００１９】
図１の対応関係保持部４０に保持されている対応表においては、地域Ａを識別するための地域識別情報「１０００」と、その地域Ａの地域管理装置２０のネットワーク上の住所「ｈｔｔｐ：／／ｗｗｗ．ＡＡＡ．ｇｏ．ｊｐ／」とが対応している。また、地域Ｂを識別するための地域識別情報「１００１」と、その地域Ｂの地域管理装置２０のネットワーク上の住所「ｈｔｔｐ：／／ｗｗｗ．ＢＢＢ．ｇｏ．ｊｐ／」とが対応している。地域Ｂの地域管理装置２０のネットワーク上の住所は、ＵＲＬである。ＵＲＬのスキームは、ｈｔｔｐに限定されない。例えば、ｆｔｐ、ｆｉｌｅ等であっても良い。また、ネットワーク上の住所をＵＲＬに代えてＩＰアドレスにしても良い。
【００２０】
例えば、対応関係保持部４０は、いずれかの地域の操作端末５０が、地域識別情報「１００１」に対応する地域管理装置の住所の取得を要求した場合に、その地域識別情報「１００１」に対応する地域Ｂの地域管理装置２０のネットワーク上の住所「ｈｔｔｐ：／／ｗｗｗ．ＢＢＢ．ｇｏ．ｊｐ／」を、取得要求元である操作端末５０に送信する。取得要求元が地域Ａの操作端末５０である場合、その地域Ａの操作端末５０は、地域Ｂの地域管理装置２０のネットワーク上の住所を取得することができる。
【００２１】
地域Ａの操作端末５０が地域Ｂの地域管理装置２０のネットワーク上の住所を取得してから、地域Ｂの診療情報保持装置１０から患者の診療情報を取得するまでの手順は、例えば、次の通りである。
【００２２】
地域Ａの操作端末５０は、地域Ｂの地域管理装置２０のネットワーク上の住所にアクセスする。次に、地域Ａの操作端末５０は、地域Ｂの地域管理装置２０に対して患者の氏名や生年月日などの患者情報を入力し、地域内で患者を統一的に識別するための統一患者識別情報を取得する。次に、地域Ａの操作端末５０は、統一患者識別情報からその患者の診療情報に係るリスト、及び、そのリストに載せられた診療情報の存在場所（ＵＲＬ）を取得する。次に、地域Ａの操作端末５０は、その診療情報の存在場所（ＵＲＬ）にアクセスし、地域Ｂ内の診療情報保持装置１０から患者の診療情報を取得することができる。また、アクセスプロトコルとしては、ｈｔｔｐに限定されない。例えば、ＣＯＲＢＡ（Ｃｏｍｍｏｎ  Ｏｂｊｅｃｔ  Ｒｅｑｕｅｓｔ  Ｂｒｏｋｅｒ  Ａｒｃｈｉｔｅｃｔｕｒｅ）、又はＳＳＡＰ（Ｓｏｕｒｃｅ  Ｓｅｒｖｉｃｅ  Ａｃｃｅｓｓ  Ｐｏｉｎｔ）等であっても良い。
【００２３】
以上によれば、操作端末５０は、地域識別情報に基づき、所定の地域の地域管理装置２０のネットワーク上の住所を取得することができる。その地域識別情報は、患者地域情報記録部３０から取得可能である。患者地域情報記録部３０は、地域内にある診療情報保持装置１０にその診療情報が保持された患者に対応付けて、地域を識別するための地域識別情報を保持する。具体的には、患者地域情報記録部３０は、地域と患者とを対応付けた地域識別情報を保持している。
【００２４】
患者地域情報記録部３０は、患者と一般社会とを対応付けた患者地域情報を保持する。地域識別情報は患者地域情報の中の１つである。患者地域情報については後述する。操作端末５０は、患者地域情報記録部３０に保持されている患者地域情報を検索し、地域識別情報を取得する。
【００２５】
患者地域情報記録部３０は、患者が携帯し持ち運び可能な記憶媒体である。患者地域情報記録部３０は、操作端末５０と情報を送受信するための通信機能素子を有している。患者地域情報記録部３０は、例えば、非接触型のＩＣカードが埋め込まれた携帯電話でも良い。患者地域情報記録部３０の通信機能素子は、例えば、ＲＦＩＤ（Ｒａｄｉｏ  Ｆｒｅｑｕｅｎｃｙ  ＩＤｅｎｔｉｆｉｃａｔｉｏｎ）である。また、患者地域情報記録部３０は、例えば、磁気カード、又は暗号化した後にＱＲコードとして出力したものであっても良い。
【００２６】
なお、患者地域情報記録部３０としては、例えば、接触型のＩＣ（Ｉｎｔｅｇｒａｔｅｄ  Ｃｉｒｃｕｉｔ）カードが埋め込まれた健康保険カード、病院診察カード、又はクレジットカードでも良い。以下、患者地域情報記録部３０が携帯電話であるとして説明する。
【００２７】
操作端末５０は、患者地域情報記録部３０と通信するための通信機能素子が接続されている。この通信機能素子としては、非接触型のカードリーダ／ライタがある。操作端末５０が、カードリーダ／ライタから患者地域情報記録部３０に対し、地域識別情報の取得要求を送信すると、患者地域情報記録部３０からカードリーダ／ライタに、地域識別情報を含む患者地域情報が送信される。また、操作端末５０が、カードリーダ／ライタから患者地域情報記録部３０に対し患者地域情報の登録要求を送信すると、患者地域情報記録部３０に患者地域情報が登録される。さらに、操作端末５０が、カードリーダ／ライタから患者地域情報記録部３０に対し患者地域情報の更新要求を送信すると、患者地域情報記録部３０の患者地域情報が更新される。
【００２８】
具体的には、操作端末５０側のカードリーダ／ライタと通信可能な状態に、患者側の患者地域情報記録部３０（例えば健康保険カード）を近づけ、患者地域情報記録部３０に対し検索条件（例えば紹介状）を送信する。患者地域情報記録部３０は、検索条件を満たす地域識別情報が含まれた患者地域情報を操作端末５０に対し送信する。操作端末５０は、その患者地域情報を解析して、地域識別情報を取得する。
【００２９】
図３は、患者地域情報記録部３０に保持されている患者地域情報のイメージ図である。患者地域情報記録部３０に保持されている患者地域情報は、地域を識別するための情報である地域ＩＤ、地域内の患者を識別するための情報である地域内ユニークＩＤ、患者が受診した病院を識別するための情報である病院ＩＤ、病院内の患者を識別するための情報である病院内ユニークＩＤが含まれる。地域ＩＤが地域識別情報に相当する。
【００３０】
図３は、４つの患者地域情報が既に登録されていて、患者地域情報記録部３０に保持されていることを示している。患者が新たな病院で診療を受ける場合には、５番目の地域患者情報が登録される。また、患者が既に登録されている病院で診療を受ける場合には、既に登録されている患者地域情報（その病院ＩＤ）の最終更新日を更新する。なお、患者地域情報には、国を識別するための情報である国ＩＤ、国内の患者を識別するための情報である国内ユニークＩＤ、県を識別するための情報である県ＩＤ、及び県内の患者を識別するための情報である県内ユニークＩＤが含まれても良い。
【００３１】
図３に示すように、患者地域情報記録部３０は、患者地域情報を最終更新日と対応させて保持している。最終更新日とは、操作端末５０が患者地域情報記録部３０に対して患者地域情報を更新したときの年月日である。例えば、最終更新日は、操作端末５０が患者地域情報記録部３０に対し患者地域情報を送信した日である。なお、操作端末５０が患者地域情報記録部３０に対して患者地域情報を登録した場合、その登録した年月日は最終更新日に登録される。すなわち、最終更新日は登録日でもある。図４、及び図６から図８に示す最終更新日についても同様とする。
【００３２】
図４は、階層構造を成している患者地域情報のイメージ図である。図４では、「国ＩＤ＋国内ユニークＩＤ」、「県ＩＤ＋県内ユニークＩＤ」、「地域ＩＤ＋地域内ユニークＩＤ」及び「病院ＩＤ＋病院内ユニークＩＤ」が、それらの順番で上位（上の階層）から下位（下の階層）となるように階層構造を成している。
【００３３】
階層構造を成す患者地域情報は、以下のように、互いに関係付けられている。患者地域情報記録部３０に保持されている患者地域情報へのアドレス情報を、他の患者地域情報に持たせる。例えば、上位（上の階層）の患者地域情報へのアドレス情報を、その下位（下の階層）の患者地域情報であって最後に登録された患者地域情報に持たせる。上位の患者地域情報が無ければ、無しの情報を持たせる。また、下位の患者地域情報であって最初に登録された患者地域情報へのアドレス情報を、その上位の患者地域情報に持たせる。下位の患者地域情報が無ければ、無しの情報を持たせる。さらに、新たに登録された患者地域情報へのアドレス情報を、その前に登録された患者地域情報に持たせる。新たに登録された患者地域情報が無ければ、無しの情報を持たせる。
【００３４】
以上のように、患者地域情報へのアドレス情報を他の患者地域情報に持たせている。それにより、上位の患者地域情報へのアドレス情報を持っていることを条件にして、その上位の患者地域情報より下位の患者地域情報を検索すれば、下位の患者地域情報であって最後に登録された患者地域情報によって、上位の患者地域情報へのアドレス情報を取得することができる。
【００３５】
階層構造を成す患者地域情報では、各患者地域情報に最終更新日が対応付けられている。最終更新日は、次のように更新される。例えば、操作端末５０が下位の患者地域情報を更新する場合に、日付操作部（図示省略）が、その更新した日を患者地域情報の最終更新日とすると共に、その更新した日を患者地域情報より上位の患者地域情報の最終更新日とする。日付操作部が、患者地域情報より上位の患者地域情報の最終更新日を更新する場合、日付操作部は、患者地域情報を検索し、その患者地域情報より上位の患者地域情報へのアドレス情報を取得すれば良い。
【００３６】
また、操作端末５０が患者地域情報を登録する場合に、日付操作部が、その登録した日を患者地域情報の最終更新日（登録日）とすると共に、操作端末５０が患者地域情報より上位の患者地域情報を登録し、日付操作部が、その登録した日を患者地域情報の上位の患者地域情報の最終更新日（登録日）とする。
【００３７】
次に、図５を参照にして、操作端末５０が下位の患者地域情報を更新した場合に、図示しない日付操作部が上位の患者地域情報の最終更新日を更新する場合を説明する。図５は、日付操作部（図示省略）が上位の患者地域情報の最終更新日を更新する操作の説明図である。図５において、操作端末５０が下位の患者地域情報６１、６２である「病院ＩＤ＋病院内ユニークＩＤ」を更新すると、日付操作部は、その更新した日である「２００７／０３／０６」を下位の患者地域情報６１、６２の最終更新日とする。
【００３８】
日付操作部は、続いて、その更新した日である「２００７／０３／０６」を、上位の患者地域情報６３である「地域ＩＤ＋地域内ユニークＩＤ」の最終更新日とし、さらに上位の患者地域情報６４である「県ＩＤ＋県内ユニークＩＤ」の最終更新日とし、さらに上位の患者地域情報６５である「国ＩＤ＋国内ユニークＩＤ」の最終更新日とする。
【００３９】
以上のように、操作端末５０が下位の患者地域情報の最終更新日を更新した場合に、日付操作部は、その更新した日を上位の患者地域情報の最終更新日とすることにより、最新の診療情報を短時間に取得可能とする効果が得られる。その理由を以下に説明する。
【００４０】
図５に示すように、最上位の患者地域情報６５である「国ＩＤ＋国内ユニークＩＤ」の最終更新日は、その患者地域情報６５を更新した日「２００７／０３／０６」になっている。操作端末５０は、その更新した日と最終更新日とが同じであることを検索条件にして、下位の患者地域情報である「県ＩＤ＋県内ユニークＩＤ」を検索する。そして、操作端末５０は、患者地域情報６４である「県ＩＤ＋県内ユニークＩＤ」を取得する。
【００４１】
操作端末５０は、上記検索条件と同じ条件にして、さらに下位の患者地域情報である「地域ＩＤ＋地域内ユニークＩＤ」を検索する。そして、操作端末５０は、患者地域情報６３である「地域ＩＤ＋地域内ユニークＩＤ」を取得する。以上の操作端末５０の検索においては、上記検索条件を満たさない患者地域情報である「県ＩＤ＋県内ユニークＩＤ」を検索しなくて済む。操作端末５０は、所定の「県ＩＤ＋県内ユニークＩＤ」を検索した後、直ちに、下位の患者地域情報である「地域ＩＤ＋地域内ユニークＩＤ」の検索に移ることができる。以上により、操作端末５０による患者地域情報の検索時間を大幅に短縮することができる。
【００４２】
操作端末５０は、上記検索条件を満たす患者地域情報「地域ＩＤ＋地域内ユニークＩＤ」を短時間に取得することができる。そして、操作端末５０は、その取得した患者地域情報「地域ＩＤ＋地域内ユニークＩＤ」から、地域識別情報（地域ＩＤ）に対応する地域管理装置２０のネットワーク上の住所を対応関係保持部４０から取得する。次に、操作端末５０は、その地域管理装置２０のネットワーク上の住所にアクセスして、最新の診療情報の存在場所（ＵＲＬ）を地域管理装置２０から取得し、その診療情報の存在場所（ＵＲＬ）にアクセスして、最新の診療情報を診療情報保持装置１０から取得することができる。
【００４３】
以上の患者地域情報は、「国ＩＤ＋国内ユニークＩＤ」の患者地域情報を最上位とする階層構造を成したものであるが、患者地域情報記録部３０に保持される患者地域情報のデータ構造は、これに限らない。診療科を識別する診療科識別情報（診療科ＩＤ）、ドキュメントを識別するドキュメント識別情報（ドキュメントＩＤ）、その他の診療情報属性識別情報を上位とし、その下位の患者地域情報が階層構造を成す構造でも良い。
【００４４】
図６は、診療科ＩＤを上位とし、その下位の患者地域情報が階層構造を成した図である。患者地域情報記録部３０は、診療科ＩＤを上位とし、その下位の患者地域情報を図６に示すような階層構造で保持している。一方、患者地域情報記録部３０が患者地域情報を図４に示すような階層構造で保存し、操作端末５０が、患者地域情報を図６に示すような階層構造に操作しても良い。医師が自身の担当する診療科以外の診療科ＩＤより下位の患者地域情報を検索しないで済み、担当する診療科に関する患者地域情報を短時間に取得することができる。
【００４５】
図７は、ドキュメントＩＤを上位とし、その下位の患者地域情報が階層構造を成した図である。患者地域情報記録部３０は、ドキュメントＩＤを上位とし、その下位の患者地域情報を図７に示すような階層構造で保持している。一方、患者地域情報記録部３０が患者地域情報を図４に示すような階層構造で保存し、操作端末５０が、患者地域情報を図７に示すような階層構造になるように操作しても良い。医師が自身の所望するドキュメント以外のドキュメントＩＤより下位の患者地域情報を検索しないで済み、所望のドキュメントに関する患者地域情報を短時間に取得することができる。
【００４６】
操作端末５０の図示しない表示制御部は、図４に示すように、患者地域情報である「国ＩＤ＋国内ユニークＩＤ」を最上位とし、図５に示すように、診療科ＩＤを上位とし、また、ドキュメントＩＤを上位とし、その下位の患者地域情報が階層構造を成し、それらを、単独で、操作端末５０のモニタに表示する。
【００４７】
操作端末５０のモニタに表示される患者地域情報の表示態様は、これに限らない。例えば、操作端末５０の表示制御部は、図８に示すように、患者地域情報である「国ＩＤ＋国内ユニークＩＤ」を最上位とし、その下位の患者地域情報が階層構造を成す表示態様、診療科ＩＤ（内科ＩＤ）を上位とし、その下位の患者地域情報が階層構造を成す表示態様、及び、ドキュメントＩＤ（処方ＩＤ）を上位とし、その下位の患者地域情報が階層構造を成す表示態様を、まとめて、操作端末５０のモニタに表示する。
【００４８】
操作端末５０の表示制御部は、異なる表示態様であっても、同じ患者地域情報であれば、それらの患者地域情報を関連付けて操作端末５０のモニタに表示する。例えば、図８に示すように、表示制御部は患者地域情報７１、７２、７３を関連付けて表示する。
【００４９】
（動作）
次に、図９及び図１０を参照にして、操作端末５０が患者地域情報記録部３０から地域識別情報を取得し、その地域識別情報に基づいて最終的に診療情報を取得するまでの手順を説明する。図９は、操作端末５０が診療情報を取得するまでの手順を示すフロー図である。
【００５０】
図９では、操作端末５０による地域識別情報（地域ＩＤ）の取得操作（ステップＳ１０１）から始まる。なお、地域識別情報の取得操作については後述する。
【００５１】
操作端末５０は、対応関係保持部４０に対して、地域識別情報に対応付けられた地域管理装置２０のネットワーク上の住所の取得を要求する（ステップＳ１０２）。対応関係保持部４０は、地域識別情報と地域管理装置２０のネットワーク上の住所とを対応付けた対応表を有している。
【００５２】
対応関係保持部４０は、上記取得要求を受信すると、地域識別情報に対応付けられた地域管理装置２０のネットワーク上の住所を操作端末５０に送信する。それにより、操作端末５０は、地域管理装置２０のネットワーク上の住所を取得する（ステップＳ１０３）。例えば、図１に示すように、地域Ａの操作端末５０は、対応関係保持部４０にアクセスし、地域Ｂの地域識別情報「１００１」に対応付けられた地域管理装置２０のネットワーク上の住所の取得を要求する。
【００５３】
対応関係保持部４０は、その取得要求を受けて、地域Ｂの地域識別情報「１００１」に対応付けられた地域Ｂの地域管理装置２０のネットワーク上の住所を、地域Ａの操作端末５０に送信する。それにより、地域Ａの操作端末５０が地域Ｂの地域管理装置２０のネットワーク上の住所を取得することができる。なお、対応関係保持部４０が操作端末５０に設けられているものでは、地域識別情報を検索条件として対応関係保持部４０を検索することにより、地域管理装置２０のネットワーク上の住所を取得する。
【００５４】
以上は、地域Ａの操作端末５０が、地域Ｂの地域管理装置２０のネットワーク上の住所を取得するまでの手順を説明した。続いて、地域Ａの操作端末５０が、地域Ｂの診療情報保持装置１０から患者の診療情報を取得するまでの手順を説明する。
【００５５】
地域Ａの操作端末５０は、地域Ｂの地域管理装置２０のネットワーク上の住所にアクセスする（ステップＳ１０４）。次に、地域Ａの操作端末５０は、例えば、患者の氏名や生年月日を地域Ｂの地域管理装置２０に入力して、地域管理装置２０から統一患者識別情報を取得する。次に、地域Ａの操作端末５０は、統一患者識別情報からその患者の診療情報のリスト及びリストに載せられた診療情報の管理情報、例えば、診療情報の存在場所（ＵＲＬ）を取得する（ステップＳ１０５）。
【００５６】
地域Ａの操作端末５０は、地域Ｂの地域管理装置２０から取得した診療情報の存在場所（ＵＲＬ）にアクセスをする（ステップＳ１０６）。それにより、地域Ａの操作端末５０は、診療情報保持装置１０内のフォルダやファイルに直接的にアクセスすることができる。地域Ａの操作端末５０は、地域Ｂの診療保持装置１０から診療情報を取得する（ステップＳ１０７）。
【００５７】
以上、図９では、地域識別情報（地域ＩＤ）の操作端末５０による取得操作から始めている。図１０を参照にして、操作端末５０が地域識別情報（地域ＩＤ）を取得するまでの手順を説明する。図１０は、操作端末５０が地域識別情報を取得するまでの手順を示すフロー図である。操作端末５０が、地域識別情報を取得する手順は、例えば、以下の通りである。
【００５８】
図１０に示すように、始めに、患者地域情報記録部３０をセットする（ステップＳ２０１）。具体的には、操作端末５０に接続された図示しないカードリーダ／ライタに患者地域情報管理部３１を近づけ、カードリーダ／ライタと患者地域情報記録部３０の通信機能素子（ＲＦＩＤ）とを通信可能にする。それにより、操作端末５０は患者地域情報記録部３０に対して情報の取得を要求することが可能となる。操作端末５０は、患者地域情報記録部３０に対し患者地域識別情報の取得要求を送信する。患者地域情報記録部３０は、地域識別情報（地域ＩＤ）を含む患者地域情報を操作端末５０に送信する。操作端末５０は、患者地域情報を解析し、地域識別情報を取得する（ステップＳ２０２）。
【００５９】
次に、図１１及び図１２を参照にして、操作端末５０が患者地域情報を更新する場合の操作について説明する。なお、操作端末５０が患者地域情報を更新する場合の操作を代表して説明し、操作端末５０が患者地域情報を登録する場合の操作を省略する。
【００６０】
図１１に示すように、始めに、患者地域情報記録部３０をセットする（ステップＳ３０１）。具体的には、操作端末５０に接続されたカードリーダ／ライタとの通信可能な範囲内に患者地域情報記録部３０を近づける。操作端末５０は、患者地域情報記録部３０に対し患者地域情報の取得要求をする（ステップＳ３０２）。取得された患者地域情報は、操作端末５０のモニタに表示される。
【００６１】
操作端末５０は、患者地域情報を更新する（ステップＳ３０３）。操作端末５０が患者地域情報を更新した場合に、図示しない日付操作部が、患者地域情報に対応する最終更新日を前記更新した日とする（ステップＳ３０４）。
【００６２】
次に、図１２を参照にして、患者地域情報に対応する最終更新日を更新する場合の日付操作部による操作を説明する。なお、ここでも、患者地域情報を更新する場合の日付操作部による操作を代表して説明し、患者地域情報を登録する場合の日付操作部による操作を省略する。
【００６３】
日付操作部は、階層構造を成す患者地域情報において、その中の患者地域情報が更新されたことを受けて、その患者地域情報より上位の患者地域情報があるか否かを判断し、上位の患者地域情報がある場合は、その更新された日を上位の患者地域情報の更新日（最終更新日）とする。患者地域情報が登録された場合も同様に、その登録された日を上位の患者地域情報の更新日（最終更新日）とする。
【００６４】
例えば、図１２に示すように、操作端末５０が患者地域情報を更新した場合に、日付操作部は、その患者地域情報の最終更新日を前記更新した日とする（ステップＳ４０１）。次に、その地域識別情報より上位の患者地域情報があるか否かを判断する（ステップＳ４０２）。上位の患者地域情報がある場合に（ステップＳ４０２；Ｙｅｓ）、日付操作部は、上位の患者地域情報の最終更新日を前記更新した日とする（ステップＳ４０３）。次に、その地域識別情報より上位の患者地域情報があるか否かの日付操作部による判断（ステップＳ４０２）に戻る。上位の患者地域情報がない場合に（ステップＳ４０２；Ｎｏ）、日付操作部による最終更新日の更新が終了する。
【００６５】
［第２の実施の形態］
次に、図１３及び図１４を参照にして、本発明の第２の実施形態に係る診療情報管理システムを説明する。図１３は、診療情報管理システムの全体構成を示す説明図である。上記する第１の実施形態では、患者地域情報記録部３０は、患者が携帯し持ち運び可能な記憶媒体（例えば携帯電話）であり、操作端末５０と情報を送受信するための通信機能素子（ＲＦＩＤ）を有しているものであった。
【００６６】
第２の実施形態では、患者地域情報記録部３０は、ネットワークに接続されている。患者地域情報記録部３０のネットワーク上の住所を保持する患者地域情報管理部３１が設けられている。患者地域情報記録部３０のネットワーク上の住所は、例えば、ＩＰアドレス又はＵＲＬである。
【００６７】
患者地域情報管理部３１は、例えば、操作端末５０側との通信機能素子（例えばＲＦＩＤ）を有する可搬形のデバイスである。また、ネットワークに接続されている患者地域情報記録部３０としては、例えば、患者に対し所定のサービスを提供するインターネット上のサーバである。
【００６８】
次に、図１４を参照にして、操作端末５０が地域識別情報を取得するまでの手順を説明する。図１４に示すように、始めに、患者地域情報管理部３１をセットする（ステップＳ５０１）。具体的には、操作端末５０に接続された図示しないカードリーダ／ライタに患者地域情報管理部３１を近づけ、カードリーダ／ライタと患者地域情報管理部３１の通信機能素子（ＲＦＩＤ）とを通信可能にする。それにより、操作端末５０は患者地域情報管理部３１に対して情報の取得を要求することが可能となる。
【００６９】
次に、操作端末５０は、患者地域情報管理部３１に対し、患者地域情報記録部３０のネットワーク上の住所の取得要求を送信する（ステップＳ５０２）。患者地域情報管理部３１は、その取得要求を解読して、患者地域情報記録部３０のネットワーク上の住所を操作端末５０に送信する。それにより、操作端末５０は、患者地域情報記録部３０のネットワーク上の住所を取得する（ステップＳ５０３）。次に、操作端末５０は、患者地域情報記録部３０のネットワーク上の住所にアクセスする（ステップＳ５０４）。これに対し、患者地域情報記録部３０は、地域識別情報（地域ＩＤ）を含む患者地域情報を操作端末５０に送信する。操作端末５０は、患者地域情報を解析し、地域識別情報を取得する（ステップＳ５０５）。操作端末５０が地域識別情報から最終的に診療情報を取得するまでの手順は、第１の実施形態における手順と同様である。
【００７０】
なお、患者地域情報管理部３１は、患者地域情報記録部３０のネットワーク上の住所するための記憶機能を有する可搬形のデバイスであっても良い。可搬形のデバイスとしては、ＵＳＢ（ｕｎｉｖｅｒｓａｌ  ｓｅｒｉａｌ  ｂｕｓ）メモリ、ＳＤ（ｓｅｃｕｒｅ  ｄｉｇｉｔａｌ）カード、磁気カード等がある。可搬形のデバイスが磁気カードの場合、磁気カードに記録された情報を読み取るための読み取り装置が操作端末５０に接続される。
【００７１】
また、患者地域情報管理部３１は、患者地域情報記録部３０のネットワーク上の住所を記載した印刷物であっても良い。印刷物としては、バーコード、２次元バーコードがある。この場合、バーコードなどを読み取るための読み取り装置が操作端末５０に接続される。
【００７２】
また、操作端末５０の入力手段（例えばキーボーボ）から患者地域情報記録部３０のネットワーク上の住所を入力することにより、患者地域情報記録部３０にアクセスしても良い。それにより、患者地域情報管理部３１を省略することができる。
【００７３】
さらに、日付操作部（図示省略）を設け、操作端末５０が患者地域情報を登録又は更新した場合に、日付操作部が作動して、患者地域情報の最終更新日及び患者地域情報より上位の患者地域情報の最終更新日を登録又は更新するものを示したが、操作端末５０が患者地域情報を登録又は更新し、それに併せて、患者地域情報の最終更新日及び患者地域情報より上位の患者地域情報の最終更新日を登録又は更新するようにしても良い。
【００７４】
［第３の実施の形態］
次に、図１５を参照にして、本発明の第３の実施形態に係る診療情報管理システムを説明する。図１５は、診療情報管理システムの全体構成を示す説明図である。第１の実施形態では、患者地域情報記録部３０から地域識別情報を取得することに始まり、診療情報保持装置１０から診療情報を取得することに終わるまでの操作を１つの操作端末５０が行うシステムである。これに対し、第３の実施形態では、患者地域情報記録部３０から地域識別情報を取得する操作を第１操作端末５１が行い、それに続く操作を第２操作端末５２が行うシステムである。第１操作端末５１及び第２操作端末５２はネットワークにそれぞれ接続されている。
【００７５】
第１操作端末５１は、例えば、医療施設の受付に設置され、第２操作端末５２は、例えば、医療室に設置される。受付の第１操作端末５１が患者地域情報記録部３０から地域識別情報を取得し、取得した地域識別情報を第２操作端末５２へ送信するまでの操作を行う。第２操作端末５２は、それに続く操作を行なう。第２操作端末５２が地域管理装置２０の住所を取得してから診療情報を取得するまでの操作は、操作端末５０の操作と同様である。
【００７６】
なお、上記する医療情報管理システムでは、操作端末５０が患者地域情報記録部３０に対して地域識別情報の取得要求をし、患者地域情報記録部３０から地域識別情報を取得するネットワークシステムが重要な構成要素になっている。
【００７７】
このネットワークシステムは、地域識別情報の取得要求する操作端末５０が正当な権限を保持しているか否か（患者の承認を得ているか否か）を確認するための認証システム、及び、患者地域情報記録部３０から送信される患者地域情報の秘密を守るための秘密保持システムを有している。
【００７８】
認証システムとしては、例えば、患者側が操作端末５０に患者ＩＤ及び患者パスワードを付与し、患者ＩＤを操作端末５０が患者地域情報記録部３０へ送信する。それに対し、患者地域情報記録部３０が操作端末５０へ試用コードを送信する。試用コードと患者パスワードとにより操作端末５０が被認証用の数値を生成し、その数値を患者地域情報記録部３０へ送信する。患者地域情報記録部３０は、保持してある患者パスワードと試用コードとにより比較用の数値を生成し、比較用の数値と被認証用の数値との一致を患者地域情報記録部３０が確認することにより、操作端末５０の認証をするものがある。
【００７９】
患者地域情報記録部３０は、操作端末５０の認証をした後でなければ、操作端末５０からの患者地域情報の取得要求に応えない。なお、患者地域情報管理部３１が操作端末５０へ患者ＩＤ及び患者パスワードを付与しても良い。
【００８０】
秘密保持システムとしては、例えば、公開かぎ暗号方式がある。患者地域情報記録部３０が操作端末５０から公開かぎを送信してもらい、その公開かぎにより患者地域情報を暗号化し、暗号化した患者地域情報を操作端末５０に送信し、暗号化した患者地域情報を操作端末５０が秘密かぎにより復号する。
【００８１】
なお、前記実施形態において、患者地域情報の更新を操作端末５０により行うものを示したが、これに限定されない。例えば、携帯電話などの記録部の媒体により直接行うものであっても良く、外部のシステム（別の端末やＧＰＳ等）などにより行うものであっても良い。
【図面の簡単な説明】
【００８２】
【図１】本発明の第１の実施形態に係る診療情報管理システムの全体構成を示す説明図である。
【図２】診療情報保持装置内のフォルダ、及びフォルダ内のファイルを概念的に表した図である。
【図３】患者地域情報記録部に保持されている患者地域情報のイメージ図である。
【図４】階層構造を成している患者地域情報のイメージ図である。
【図５】日付操作部が上位の患者地域情報の最終更新日を更新する操作を示す説明図である。
【図６】患者地域情報のイメージ図であり、診療科ＩＤを上位とし、その下位の患者地域情報を階層構造とした図である。
【図７】患者地域情報のイメージ図であり、ドキュメントＩＤを上位とし、その下位の患者地域情報を階層構造とした図である。
【図８】患者地域情報のイメージ図であり、上位を種々の識別情報にして、下位の患者地域情報を階層構造とした図である。
【図９】操作端末が診療情報を取得するまでの手順を示すフロー図である。
【図１０】操作端末が地域識別情報を取得するまでの手順を示すフロー図である。
【図１１】操作端末が患者地域情報を更新する手順を示すフロー図である。
【図１２】日付操作部が患者地域情報の最終更新日を更新する操作を示すフロー図である。
【図１３】本発明の第２の実施形態に係る診療情報管理システムの全体構成を示す説明図である。
【図１４】操作端末が地域識別情報を取得するまでの手順を示すフロー図である。
【図１５】本発明の第３の実施形態に係る診療情報管理システムの全体構成を示す説明図である。
【符号の説明】
【００８３】
１０  診療情報保持装置
２０  地域管理装置
３０  患者地域情報記録部
３１  患者地域情報管理部
４０  対応関係保持部
５０  操作端末
５１  第１操作端末
５２  第２操作端末
６１〜６５  患者地域情報
７１〜７３  患者地域情報
【図２】
0005259170.tif 000002
【図３】
0005259170.tif 000003
【図４】
0005259170.tif 000004
【図５】
0005259170.tif 000005
【図６】
0005259170.tif 000006
【図７】
0005259170.tif 000007
【図８】
0005259170.tif 000008
【図９】
0005259170.tif 000009
【図１０】
0005259170.tif 000010
【図１１】
0005259170.tif 000011
【図１２】
0005259170.tif 000012
【図１４】
0005259170.tif 000013
【図１】
0005259170.tif 000014
【図１３】
0005259170.tif 000015
【図１５】
0005259170.tif 000016